(57)【要約】      （修正有）【課題】多段集合納骨式霊廟の扉、その他前面部分周りの破損修復を含むメンテナンスが簡単で、修復コストも低廉であり、この種霊廟の前面の見栄えを常時良好に維持することができる多段集合納骨式霊廟を提供する。【解決手段】上下方向多段で左右方向に複数個の納骨室１２ａ１、１２ａ２、１２ａ３、１２ｄ１、１２ｄ２、１２ｄ３を隣接させて一体に形成した多段集合納骨式霊廟１０であり、各納骨室は上下左右背面壁１６，１８，２２，２６，３０で閉鎖されている。各納骨室の前面側に収容物の出し入れ用の開閉扉５４が設けられ、各段の納骨室群Ｋ、Ｌ、Ｍ、Ｎの前面は、開閉扉５４の厚み以上の奥行き幅でその上段の納骨室群の前面よりも前方に突出した階段状構造を有する。【選択図】図２
2014037754.tif 000002
【特許請求の範囲】
【請求項１】
上下方向多段で左右方向に複数個の納骨室を隣接させて一体に形成した多段集合納骨式霊廟であり、
各納骨室は上下左右背面壁で閉鎖されており、
各納骨室の前面側に収容物の出し入れ用の開閉扉が設けられ、
各段の納骨室群の前面は、開閉扉の厚み以上の奥行き幅でその上段の納骨室群の前面よりも前方に突出した階段状構造を有することを特徴とする多段集合納骨式霊廟。
【請求項２】
開閉扉の厚み以上の奥行き幅でその上段の納骨室群の前面よりも前方に突出した段差部分に、少なくとも軸支開閉される開閉用扉を納骨室の壁体から着脱可能に離脱させる着脱アクセス部を設けたことを特徴とする請求項１記載の多段集合納骨式霊廟。
【請求項３】
着脱アクセス部は、当該納骨室群の前方突出部分の上面を塞ぐように着脱可能に納骨室の壁体に設置された前天壁と、
前天壁の離脱後に軸支部から離脱される開閉扉と、を含むことを特徴とする請求項１又は２記載の多段集合納骨式霊廟。
【請求項４】
開閉扉の軸支部は、上方に向けて突出し開閉扉の片方側を軸支する片支持ピンを含み、
開閉扉は片支持ピンに上下操作により着脱される受部を有することを特徴とする請求項１ないし３のいずれかに記載の多段集合納骨式霊廟。
【請求項５】
納骨室の左右壁を連続貫通して配置される多孔管からなるエアー配管と、エアー配管を介した納骨室内の空気を排気させる排気ファンと、を含む換気装置が設けられていることを特徴とする請求項１ないし４のいずれかに記載の多段集合納骨式霊廟。
【発明の詳細な説明】
【技術分野】
【０００１】
本発明は複数の納骨室を１つの構造体中に縦横に配置させて遺骨をそれぞれ個別に納骨することができる多段集合納骨式霊廟に関する。
【背景技術】
【０００２】
物故者の遺骨は一族や家族代々の墓、あるいは納骨堂に収容されて供養されるのが通常である。近時、土地価格が高くあるいは墓不足の背景から納骨堂については屋内霊園が増加している。また、その納骨方法についてもロッカー式、仏壇式、完全霊園型などがあり、さらにその規模についても例えば９階建てマンションタイプの大型のものまでさまざまなものがある。一方、都市圏などに位置する寺などでは集合納骨式の納骨堂の設置必要性があるものの、室内での設置場所がなく、屋外での敷地内に簡易に設置できる納骨堂の出現が期待されている。従来、集合納骨室について特許文献１のような提案がなされている。
【先行技術文献】
【特許文献】
【０００３】
【特許文献１】実用新案登録第３０６７８６５号
【発明の概要】
【発明が解決しようとする課題】
【０００４】
特許文献１は、基礎石上に、一対の側壁と後壁を立設し、その内方に枠組みをして多数の納骨室を形成し、各納骨室の前部開放口に扉や蓋石を配設し、側壁及び後壁の上部に屋根石を配設等した多段式集合納骨室を開示したものである。この特許文献１の多段式集合納骨室では、各納骨室の前部開放口に扉や蓋石が配設されているので、各納骨室のスペースが許す範囲で新たな骨壷や故人ゆかりの品物等を挿入し、また、統廃合時に骨壷を取り出して整理することができる。しかしながら、石製の扉や蓋石はそれらの開閉時に隅部を硬いものにぶつけて一部破損したり、あるいは耐振動や支持力、耐久性低下により扉の支持軸部分が破損しやすい。そして、いったん扉等が破損すると静寂の中で行われる弔いや儀式の中でこの部分が良く目立ち、修復の必要が高い。ところが、この種ロッカー形式、あるいはマンション形式の多段式集合納骨室では、花崗岩（御影石）、安山岩などの石も壁体や扉等に用いられる場合が多く、この場合開閉のための支軸部分は納骨室の壁体上下に一体に取り付けられているため石製の扉が破損した場合には、特許文献１の図５，６に示すように修復のための手掛かり余裕が全くなく、その周囲の構成壁の分解が必要となって大がかりな修復が必要となり、その場合修復費用が高く、修復自体を断念する場合もある。特に、破損した扉を有する納骨室の位置が全体のマンション構造体の中央部分に位置する場合には、構造体全体の建て直しが必要となる場合もあった。また、この種、多段式集合納骨室では、各納骨室内に湿気が籠りカビや壁面の汚染が生じ、その対策が望まれていた。
【０００５】
本発明は上記従来の課題に鑑みてなされたものであり、その一つの目的は、マンション形式で上下左右多段多列に納骨室を配置した多段集合納骨式霊廟の扉その他前面部分周りの破損修復を含むメンテナンスが簡単で、修復コストも低廉であり、この種霊廟の前面の見栄えを常時良好に維持することができる多段集合納骨式霊廟を提供することにある。また、本発明の他の目的は、各納骨室の常時の充分な換気を維持し、しかも換気機能についてのメンテナンスを確実に行なうことのできる多段集合納骨式霊廟を提供することである。
【課題を解決するための手段】
【０００６】
上記課題を解決するために本発明は、上下方向多段で左右方向に複数個の納骨室１２を隣接させて一体に形成した多段集合納骨式霊廟であり、各納骨室１２は上下左右背面壁（１６、１８、２２、２６、３０、２０、２４、２８，３２、３４、３６、３８、４０）で閉鎖されており、各納骨室１２の前面ｆｆ側に収容物５３の出し入れ用の開閉扉５４が設けられ、各段の納骨室群Ｋ、Ｌ、Ｍ、Ｎの前面ｆｆは、開閉扉５４の厚みｈ以上の奥行き幅でその上段の納骨室群Ｌ、Ｍ、Ｎの前面ｆｆよりも前方に突出した階段状構造２００を有する多段集合納骨式霊廟１０から構成される。
【０００７】
その際、開閉扉５４の厚みｈ以上の奥行き幅でその上段の納骨室群の前面よりも前方に突出した段差部分に、少なくとも軸支開閉される開閉用扉５４を納骨室の壁体（１６、１８、２２、２６、３０、２０、２４）から着脱可能に離脱させる着脱アクセス部６０を設けるとよい。
【０００８】
また、着脱アクセス部６０は、当該納骨室群Ｋ、Ｌ、Ｍ、Ｎの前方突出部分の上面を塞ぐように着脱可能に納骨室の壁体に設置された前天壁５８と、前天壁の離脱後に軸支部６２から離脱される開閉扉５４と、を含むとよい。
【０００９】
さらに、開閉扉５４の軸支部６２は、上方に向けて突出し開閉扉５４の片方側を軸支する片支持ピン６６を含み、開閉扉５４は片支持ピン６６に上下操作により着脱される受部６８を有するとよい。
【００１０】
また、納骨室１２の左右壁５２を連続貫通して配置される多孔管からなるエアー配管９０と、エアー配管９０を介した納骨室内の空気を排気させる排気ファン９４と、を含む換気装置８８が設けられているとよい。
【発明の効果】
【００１１】
本発明の多段集合納骨式霊廟によれば、上下方向多段で左右方向に複数個の納骨室を隣接させて一体に形成した多段集合納骨式霊廟であり、各納骨室は上下左右背面壁で閉鎖されており、各納骨室の前面側に収容物の出し入れ用の開閉扉が設けられ、各段の納骨室群の前面は、開閉扉の厚み以上の奥行き幅でその上段の納骨室群の前面よりも前方に突出した階段状構造を有する構成であるから、マンション形式で上下左右多段多列に納骨室を配置した多段集合納骨式霊廟の扉その他前面部分周りの破損修復を含むメンテナンスが簡単で、修復コストも低廉であり、この種霊廟の前面の見栄えを常時良好に維持することが可能である。また、各納骨室の常時の充分な換気を維持し、しかも換気機能についてのメンテナンスを確実に行なって、納骨室内を常時美麗に保持させることができる。
【００１２】
また、開閉扉の厚み以上の奥行き幅でその上段の納骨室群の前面よりも前方に突出した段差部分に、少なくとも軸支開閉される開閉用扉を納骨室の壁体から着脱可能に離脱させる着脱アクセス部を設けた構成とすることにより、各段の納骨室前面の奥行き方向位置を異ならせて配置させることで形成される段差部分を利用して開閉扉周りの納骨建物の一部のみの分解、組み立てが可能となり、特に、個別の開閉扉周りのメンテナンス、修復作業を具体的に実現させることができる。
【００１３】
また、着脱アクセス部は、当該納骨室群の前方突出部分の上面を塞ぐように着脱可能に納骨室の壁体に設置された前天壁と、前天壁の離脱後に軸支部から離脱される開閉扉と、を含む構成であるから、開閉扉周りの納骨建物の一部のみの分解、組み立てによる、個別の開閉扉周りのメンテナンス、修復作業を実効化あらしめる。
【００１４】
また、開閉扉の軸支部は、上方に向けて突出し開閉扉の片方側を軸支する片支持ピンを含み、開閉扉は片支持ピンに上下操作により着脱される受部を有する構成とすることにより、開閉扉をピンへの上下挿脱操作により壁体から着脱させることができ、着脱アクセス部構成とあいまって開閉扉単体の壁体からの離脱を容易に行なわせ、修復、交換作業を低コストで簡単、短時間に実現し得る。
【００１５】
また、納骨室の左右壁を連続貫通して配置される多孔管からなるエアー配管と、エアー配管を介した納骨室内の空気を排気させる排気ファンと、を含む換気装置が設けられた構成とすることにより、外壁から離隔した中央部分の納骨室を含め、各納骨室内の換気を確実、かつ充分に行わせて納骨室内の汚染を防止することが可能である。
【図面の簡単な説明】
【００１６】
【図１】本発明の実施形態に係る多段集合納骨式霊廟の全体斜視構成図である。
【図２】図１の多段集合納骨式霊廟の正面図である。
【図３】図２の多段集合納骨式霊廟の左側面図である。
【図４】図１の多段集合納骨式霊廟の一部省略要部拡大分解斜視説明図である。
【図５】図１の多段集合納骨式霊廟の他の一部省略要部拡大分解斜視説明図である。
【図６】図１の多段集合納骨式霊廟の一つの段における複数の納骨室の内部構成斜視説明図である。
【図７】図３のＡ−Ａ線断面図である。
【発明を実施するための形態】
【００１７】
以下、図面を参照して本発明を実施するための形態を具体的に説明する。本発明は、上下左右多段多列縦横に納骨室を配置したいわゆるマンション形式の多段集合納骨式霊廟であり、実施形態において例えば、花崗岩や安山岩等の石板（プレート石）を用い、これらを接着組付けにより１つのマンション形式の構造体を形成したものである。
【００１８】
本実施形態において、多段集合納骨式霊廟１０は、上下方向多段で左右方向に複数個の納骨室１２を隣接配置させた納骨建物１４を有している。多段集合納骨式霊廟１０は、例えば数ミリメートル〜十数ミリメートル厚程度の御影石の矩形プレートを防水性接着剤や充填剤等を用いて縦横に組み付けて接着しマンション形式の構造体として納骨建物１４を形成したものである。本実施形態では、図１，２に示すように、上下４段、左右３列の納骨室を隣接して整列配置させ１つの一体構造体として組み立てている。
【００１９】
図１，２において、最下段には納骨室１２ａ１、１２ａ２、１２ａ３（第１納骨室群Ｋ）が密接して横並びに３個、最下段から１段上の２段目には納骨室１２ｂ１、１２ｂ２、１２ｂ３（第２納骨室群Ｌ）、最下段から３段目に１２ｃ１、１２ｃ２、１２ｃ３（第３納骨室群Ｍ）、最下段から４段目に１２ｄ１、１２ｄ２、１２ｄ３（第４納骨室群Ｎ）が各３個づつ横並びに配置され、全体としてマトリクス状に縦横に配置されている。
【００２０】
納骨建物１４の全体は、底版１６が基礎となってその上に各段に対応した納骨室群Ｋ，Ｌ，Ｍ，Ｎが上方に向けて４段積層されている。納骨建物は、各段に対応するそれぞれ建物両端位置に対向立設した２つの側板とその上端に跨って配置された天板と、で形成されている。具体的には、底版１６上で両端側に対向立設した第１側板１８、１８と、第１側板１８、１８の２つの上端に跨って載置された第１天板２０と、で第１段の骨格が形成され、第１天板２０上で両端側に対向立設した第２側板２２、２２と、第２側板２２、２２の２つの上端に跨って載置された第２天板２４と、で第２段の骨格が形成され、第２天板２４上で両端側に対向立設した第３側板２６、２６と、第３側板２６、２６の２つの上端に跨って載置された第３天板２８と、で第３段の骨格が形成され、第３天板２８上で両端側に対向立設した第４側板３０、３０と、第４側板３０、３０の２つの上端に跨って載置された第４天板３２と、で第４段の骨格が形成されている。第１段〜第４段の両側板と天板で囲まれる内側空間の背面側にはそれぞれ背面板３４，３６，３８，４０が設けられて内側を閉鎖している。
【００２１】
実施形態において、各段の前面ｆｆ側において底版１６あるいは天板２０，２４，２８には仕切り用補助ブロック４２，４４，４６，４８が各段の室を３等分するようにそれぞれ２個等間隔で離隔して立設固定されている。なお、底版、両側板、背面板、天板、仕切り用補助ブロックは、それぞれすべて花崗岩等の矩形石板をシリコン系の耐候性接着剤等で接合して組み立ててさらに目地部分を耐候性ゴム等で密栓してある。仕切り用補助ブロックは、それぞれ背面板との間に仕切板を上下方向に挿脱自在に装着し、列方向に複数の単位納骨室１２を形成するとともに、各段の前面ｆｆ側に設置する開閉扉の保持部を構成する。
【００２２】
すなわち、図６に示すように、仕切り用補助ブロック（４２，４４，４６，４８）は、
それぞれ背面板３４，３６，３８，４０との対向面位置に背面板側とともに縦溝５０が穿溝してあり、この縦溝５０に仕切板５２が上下挿脱自在に各段に２個装着されている。仕切板５２は、実施例において例えば塩化ビニルやアクリル板等の合成樹脂板が用いられており、挿脱操作を軽労力で簡単に行なうことができる。仕切板５２に仕切られて各段にそれぞれ３個の納骨室が形成され、これらがそれぞれ各段において納骨室群Ｋ、Ｌ、Ｍ、Ｎを構成している。
【００２３】
各納骨室１２の前面側にはその内部に収容する骨壷等の収容物５３の出し入れ用の開閉扉５４が設けられている。仕切り用補助ブロック（４２，４４，４６，４８）は、各段の前面ｆｆ側において設置する開閉扉５４の保持部５６を構成する。具体的には、この実施形態において、仕切り用補助ブロック（４２，４４，４６，４８）は、平面視Ｌ字形状のアングル状ブロック５６ａ，５６ｂを背面合わせ接合して略Ｔ字ブロックとし、さらにそのＴ字ブロックの頭部に中間板５８を縦長に立設し、その中間板５８に背面板（３４，３６，３８，４０）に設けた縦溝５０と平行に縦溝５０を形成している。仕切り用補助ブロックの平面視Ｌ字形状のアングル状ブロック５６ａ，５６ｂは各納骨室の最前面側に設置されており、開閉扉５４とともに霊廟１０の正面側に一部を露出させる（図１，２，４，５参照）。
【００２４】
本発明において、一つの特徴的なことは、各段の納骨室群Ｋ，Ｌ，Ｍ，Ｎの前面は、開閉扉５４の厚みｈ以上の奥行き幅でその上段の納骨室群Ｌ，Ｍ，Ｎの前面よりも前方に突出した階段状構造２００を有することである。すなわち、各段の天板２０，２４，２８，３２は、それぞれの底版１６あるいはその直下段側の天板２０，２４，２８の奥行き長さｄｐ２よりも短い奥行き長さｄｐ１で構成されて（図３参照）、各段の天板２０，２４，２８，３２の前端は、仕切り用補助ブロック（４２，４４，４６，４８）の前端より奥側に退避した位置にある。そして、それぞれの段の３つの納骨室の前面は図３に示すように面一状に同じ面位置で形成されている。各段の納骨室の前面は開閉扉５４の厚みｈ以上の奥行き幅でその上段の納骨室群の前面よりも前方に突出配置されている。開閉扉５４の厚みより短い長さで各段の納骨室の前面がそれらの上段の納骨室の前面よりも前方側に突設した階段構成であると、前面側からのアクセスで壁体を部分的に分解して開閉扉５４を簡単に離脱させることが困難となる。この構造により、仕切り用補助ブロック（４２，４４，４６，４８）の上端と各段の天板２０，２４，２８，３２の前端との間にはスペースＯＰが形成される。そして、スペースＯＰを露出したままでは外部から納骨室内が見える状態となり意匠感を損なう上に、さらに、塵埃や降雨時の雨を内部に侵入させ内部を汚染する。このために、各段の天板２０，２４，２８，３２の前端から仕切り用補助ブロック（４２，４４，４６，４８）の上部前端にかけて略長四角形状の前天壁５８が載置され、納骨室内を閉鎖している。前天壁５８も天板２０，２４，２８，３２と同じ厚さの石板からなり、実施形態では仕切り用補助ブロック（４２，４４，４６，４８）の上部に接着剤で接合されてカッター等で着脱分解可能に接合されている。後述するように、開閉扉５４は、上下方向の挿脱で下部のみの支持で軸支される構造であるから、前天壁５８を離脱させると開閉扉５４はカッター等の切断具を用いることなく取り外すことができるようになっている。ここに、開閉扉５４の厚み以上の奥行き幅でその上段の納骨室群Ｌ、Ｍ、Ｎの前面よりも前方に突出した段差部分が着脱アクセス部６０とされる。着脱アクセス部６０は、当該納骨室群Ｋ、Ｌ、Ｍ、Ｎの前方突出部分の上面を塞ぐように着脱可能に納骨室の壁体に設置された前天壁５８と、前天壁５８の離脱後に軸支部から離脱される開閉扉５４と、を含み、軸支開閉される開閉用扉５４を納骨室１２の壁体２０〜３２から着脱可能に離脱させることを可能とさせる。
【００２５】
図４〜７において、各段の納骨室の前面開口を開閉するように開閉扉５４が設けられ、特に本実施形態においては、開閉扉の左右いずれかの端部側の片支持縦軸回りに他端側を開閉する開閉扉が設けられている。すなわち、納骨室の前面側の仕切り用補助ブロックどうし、あるいは仕切り用補助ブロックと側壁との間に開閉扉５４を収容するように、これらの前端対向部分に開閉扉の軸支部６２と閉鎖受部６４とのいずれかが設けられている。図６において、正面視左側の側板の前端部と仕切り用補助ブロックの前端部各右側に軸支部６２が配置され、正面視右側の前端部と仕切り用補助ブロックの前端部各左側に閉鎖受部６４が設置されている。
【００２６】
本実施形態において軸支部６２は、側板前端内側のＬ字状切欠きあるいは仕切り用補助ブロックのアングル状ブロック５６ａのＬ字状切欠き部分に設置された円筒支持台に上方に向けて突出して設けられ開閉扉を片持ち状に支持する片支持ピン６６を含む。片支持ピン６６は、上向きで下部側にのみ設けられ片支持状態で扉の他端側を支持ピン回りに開閉回動させる。そして、開閉扉５４には、その左右いずれかの端部側に受部６８が設けられている。本実施形態において、受部６８は、挿入口から上向き縦方向に設けた穴からなり、開閉扉５４を上方向から下降させて片支持ピン６６を挿入口にあてがってさらに下降させるだけの上下操作により軸支部６２から開閉扉５４を着脱させることができる。
【００２７】
閉鎖受部６４は、側板前端内側のＬ字状切欠きあるいは仕切り用補助ブロックのアングル状ブロック５６ｂのＬ字状切欠き部分に設置され開閉扉５４の他端側を収容するように受けて図１，３のように扉５４を正しい閉鎖位置に保持する。閉鎖時に開閉扉の他端内面側が当接するそれぞれのＬ字状切欠きの壁面にはクッション材７０が設けられて接触時の衝撃を受ける。
【００２８】
開閉扉５４の開閉回動端部分と仕切り用補助ブロックの前端部とには、ロック機構７２が設けられている。開閉回動端部分と仕切り用補助ブロックの前端部とにはそれぞれ孔付きブラケット７４、７５が突設され、扉５４を閉鎖した状態でそれらの孔を貫通してロックバー７６が取り付けられる。さらにそのロックバー７６の中間において胴部を貫通するように設けた貫通孔７８に例えば南京錠等の錠前８０を取り付けることにより、解錠キーを所持する者だけが開閉扉５４の開閉が可能となって、納骨室内への他人の無断アクセスが制限される。また、開閉扉５４の中央部には、嵌合用の凹部を有する窓枠部８２が設けられ、その内側にガラスや透明アクリル材等の合成樹脂製の化粧板８４が着脱自在に取り付け可能となっている。化粧板８４は、故人の家紋などを表示することができる。また、扉の裏面側には故人の氏名、享年、戒名等を刻印することができる。さらに、仕切り用補助ブロックのアングル状ブロック５６ｂのＬ字状切欠き部分には、装着時に開閉扉５４の表面に一部が密着して扉のガタツキを防止するガタツキ防止駒８６がピン穴とピン嵌合により着脱嵌合自在に設けられている。
【００２９】
次に、納骨室内の換気装置について説明する。図６，７において、横方向に隣接配置された複数の納骨室内の換気を行う換気装置８８が設けられている。実施形態において、１つの段には仕切板５２に仕切られた３個の納骨室が形成されている。そして、納骨室の左右壁となる離隔した２つの仕切板５を横方向に連続貫通してエアー配管９０が設けられている。エアー配管９０はその管壁に多数の通気孔９２を有する多孔管からなり、複数の納骨室ごとに各室内の充分な量の空気を負圧吸引し排気するとともに新鮮外気を導入させてすべての室内を充分に換気する。そして、エアー配管９０の延長線上で達する一側壁内には、排気ファン９４が埋め込み設置されており、この排気ファン９４にエアー配管９０の一端が連通接続されて各室内の空気を負圧吸引し排気する。図６，７に示すように、エアー配管９０は、複数の単位管９６を１個又は複数のコネクタ管９８により着脱自在に連結接続した長い１本の直管で構成されている。コネクタ管９８は例えば両端側のいずれの単位管９６に対しても挿入、離脱自在に接続することができる。そして、コネクタ管９８を取り外すことにより複数の単位管９６を個別に分離することができる。これによって、開閉扉を開いた前面側からもエアー管内の詰まり等の点検などについて、保守管理をすることができる。エアー配管９０による各仕切板５２の貫通部分や側壁内に埋め込んだ排気ファンの取り付け部分には、軽い復元性を有する合成樹脂製等の網状体を圧縮させたものを必要に応じて充填させており、これによって、外気取り入れ空気のフィルタ機能を行なわせている。なお、図２中９５は、排気ファンのカバーである。
【００３０】
なお、図中１００は納骨室内の底板、１０２は仕切り用補助ブロック（４２，４４，４６，４８）とは別部材で設けられ背面板３４，３６，３８，４０と対向位置であって仕切板５２のスリット溝５０の片側を形成する中間板であり、底板１００上に立設されて仕切り用補助ブロックの破損等に直接に影響を受けずに安定して仕切板５２の保持機能を有するものである。また、背面板側から何らかの外力が加わった場合でもその応力が直接に仕切り用補助ブロックに作用せず、よって、仕切り用補助ブロックの破損防止体あるいは防護体として機能する。また、１０４は、排気ファン９４に電気的に接続されて該排気ファン９４に駆動用電源を供給する太陽光発電装置であり、該太陽光発電装置は、図示しないが上下に２分割されて下部基台の上部に配置された回動支持台が縦軸回りに回動自在となって、回動支持台に斜めに支持された太陽電池パネルにより効率良く電力を生成させる。
【００３１】
上記した多段集合納骨式霊廟１０は、例えば開閉扉の軸支部分等が何らかの原因で破損した場合、前天壁５８をカッターナイフ等で切り込んで離脱させるだけで着脱アクセス部６０の仕切り用補助ブロック（４２，４４，４６，４８）の上端側が除去されて開放される。これによって、開閉扉５４をその軸支部６２部分において単に上方に引き抜く操作を行なうだけで開閉扉を簡単に取り外し、修復後あるいは新品の開閉扉と交換することができる。交換後は再び、前天壁５８を接着させるだけでよい。
【００３２】
以上説明したように、本発明の多段集合納骨式霊廟１０はマンション形式で上下左右多段多列に納骨室を配置した多段集合納骨式霊廟の扉その他前面部分周りの破損修復を含むメンテナンスが簡単で、修復コストも低廉であり、この種霊廟の前面の見栄えを常時良好に維持することができる。特に、本実施形態では、前天壁５８を各納骨室１２の天板と分割した態様で別部材で構成しているから、実施形態のように前面から前方方向に向けて円弧状に膨出させる膨出部を形成したり、その他装飾模様を施したり、自由な外形形状等を個別あるいは統一的に設定することが可能である。また、コネクタ管９８の取り外しにより単位管９６を個別に開閉扉の前面側から回収させることができ、排気装置のメンテナンス性を向上させて各納骨室内の換気機能を良好に保持させることができる。
【００３３】
以上説明した本発明の多段集合納骨式霊廟１０は仕切板５２、片支持ピン６６、等以外は、すべて花崗岩等の石製で構成しているが、この骨格材料は限定的なものではなく、そのほかの部位に合成樹脂材、木材、竹材その他任意の素材を使用してもよい。また、各段の複数の納骨室構成は、実施形態のように横長直方体状の空間を着脱式の仕切板で仕切って形成することなく、それぞれ各室ごとに独立した筐体を製作して一体連結したり、仕切板を石板製としてもよい。各段の納骨室の個数は４個以上あるいは２個とするものでもよく、また、その段数も任意の複数段数に設定することができる。さらに、当該段の納骨室前面のその上段納骨室前面よりも突出する前方進出幅（長さ）は、開閉扉の厚みよりも大きな幅であれば任意に設定することができる。また、本発明は、前記した実施形態に示した構成限定されるものではなく、本発明の本質を逸脱しない範囲において行なわれる任意の改変も本発明の範囲に含まれる。
【符号の説明】
【００３４】
１０  多段集合納骨式霊廟
１２  納骨室
１４  納骨建物
１６  底版
１８、２２、２６、３０  第１〜第４側板
２０、２４、２８，３２  第１〜第４天板
３４、３６、３８、４０  第１〜第４段背面板
４２、４４、４６、４８  第１〜第４仕切り用補助ブロック
５０  縦溝
５２  仕切板
５４  開閉扉
５６ａ、５６ｂ  アングル状ブロック
５８  前天壁
６０  着脱アクセス部
６２  軸支部
６４  閉鎖受部
６６  片支持ピン
８８  換気装置
９０  エアー配管
９２  通気孔
９４  排気ファン
９６  単位管
９８  コネクタ管
１０２  中間板
ｆｆ  前面
Ｋ、Ｌ、Ｍ、Ｎ  第１〜第４納骨室群
ｄｐ１  当該天板奥行き長さ
ｄｐ２  直下段天板の奥行き長さ
【図１】
2014037754.tif 000003
【図２】
2014037754.tif 000004
【図３】
2014037754.tif 000005
【図４】
2014037754.tif 000006
【図５】
2014037754.tif 000007
【図６】
2014037754.tif 000008
【図７】
2014037754.tif 000009